(57)【要約】【課題】樹脂ケースに形成された立壁部にカバーケースに装着された樹脂片を固定する場合に、ワンタッチで節度感よく確実に装着することができるカバークリップを得る。【解決手段】金属板から一体的に形成され、端部に長方形状の樹脂片７２が装着されたカバーケース７０を立壁部６２が形成された樹脂ケース６０に固定するためのカバークリップ１であって、前記立壁部６２に沿って奥行を有する外側片１１と内側片１５とを具備して前記立壁部６２に嵌合可能なコ字状の嵌合部１０と、該嵌合部１０の内側片１５に扇状に連設し先端辺を内側に折曲して先端折曲部２１を形成することで前記樹脂片７２を嵌合可能とした樹脂片固定部２０とを有し、前記嵌合部１０の内側片１５の先端辺を前記先端折曲部２１に対峙させてＬ型折曲部１６を形成する。【選択図】      図１
2005090598.tif 000002
【特許請求の範囲】
【請求項１】
金属板から一体的に形成され、端部に長方形状の樹脂片が装着されたカバーを立壁部が形成された樹脂ケースに固定するためのカバークリップであって、
前記立壁部に沿って奥行を有する外側片と内側片とを具備して前記立壁部に嵌合可能なコ字状の嵌合部と、
該嵌合部の内側片に扇状に連設し先端辺を内側に折曲して先端折曲部を形成することで前記樹脂片を嵌合可能とした樹脂片固定部と、を有し、
前記嵌合部の内側片の先端辺を前記先端折曲部に対峙させてＬ型折曲部を形成する
ことを特徴とするカバークリップ。
【請求項２】
前記嵌合部の外側片の先端片を外側に折曲して鍔部を形成するとともに、前記折曲するに際して前記外側片の一部が内側に突状となる爪部を有して成る請求項１に記載のカバークリップ。
【請求項３】
前記樹脂片固定部の前記嵌合部近傍両辺に、内側に突出する爪部を折曲形成して成る請求項２に記載のカバークリップ。
【発明の詳細な説明】
【技術分野】
【０００１】
本発明は、部材同士を固定するためのクリップに関し、特に、端部に長方形状の樹脂片が装着されたブーツカバーを樹脂ケース（ワーク部材）に固定するために使用されるクリップにおいて、ワーク部材側の表面を加工することなく、ワンタッチで容易に着脱できるクリップの構造に関する。
【背景技術】
【０００２】
近年、乗用車において、例えば車内で着替え等を行う場合に運転席部分のスペースを有効に使用するため、図４に示すようにステアリングホイール４０全体が前方側（ダッシュボード９０側）に倒すことで折り畳める構造が提案されている。
このような構造の場合、ステアリングホイール４０が連結されたステアリング軸４１の途中部分で折り曲げ可能な構造としているため、この部分を前記折り曲げ移動に適用できるブーツカバー（カバーケース）で覆う必要がある。
【０００３】
具体的には、例えば図４に示すように、ステアリング軸４１を上部樹脂ケース５０と下部樹脂ケース６０とで被覆し、下部樹脂ケース６０の下方にジャバラ部７１を有するカバーケース７０を固定するようになっている。
そして、下部樹脂ケース６０にカバーケース７０を固定する場合、図５に示すように、カバーケース７０の端部に長方形状の樹脂片７２を装着し、この樹脂片７２に穿孔された孔部７３を下部樹脂ケース６０の下方正面位置に形成された凸部６１に嵌合させ、下部樹脂ケース６０及びカバーケース７０の内側側面部分（Ｂ部分）においては、カバーケース７０内側面と樹脂片７２との間に両面テープ８０を介在させることで両者の固定を行っていた。
【発明の開示】
【発明が解決しようとする課題】
【０００４】
下部樹脂ケース６０とカバーケース７０との固定を下方正面位置（Ａ部分）のみで行う場合、カバーケース７０の側面部分（Ｂ部分）が浮き上がり体裁が悪い場合があるため、カバーケース７０と下部樹脂ケース６０との側面部分（Ｂ部分）においても固定する必要が生じていた。
しかしながら、この部分において、両面テープ８０で固定を行う場合、適正位置にテープを貼着し粘着部分を露出するために上部シールを剥離する等の処理が必要となり、煩雑な作業となるという問題点があった。
【０００５】
また、樹脂ケース６０の側面部分において、下方正面部分と同様に、樹脂片側の孔部とケース側の凸部とが嵌合する構造とした場合、樹脂ケース６０の加工段階での処理が必要でありコスト高になるばかりか、カバーケース７０の側面部分において凸部形成部分が外観に表れるため（凸部形成部分は、孔加工に際して必然的に形成されるもので、例えば、図５（ａ）に示されるように、凸部６１の反対面に一対の孔６３が生じるものである）デザイン上好ましくないという問題点があった。
【０００６】
本発明は上記実情に鑑みてなされたもので、樹脂ケースに形成された立壁部にカバーケースに装着された樹脂片を固定する場合に、ワンタッチで節度感よく確実に装着することができるカバークリップを提供することを目的としている。
【課題を解決するための手段】
【０００７】
上記目的を達成するため請求項１の本発明は、金属板から一体的に形成され、端部に長方形状の樹脂片７２が装着されたカバーケース７０を立壁部６２が形成された樹脂ケース６０に固定するためのカバークリップ１であって、次の構成を具備することを特徴としている。
嵌合部１０。この嵌合部１０は、樹脂ケース（ワーク部材）６０側に形成された立壁部６２に沿って奥行を有する外側片１１と内側片１５とを具備して前記立壁部６２に嵌合可能なコ字状に形成されている。
樹脂片固定部２０。この樹脂片固定部２０は、前記嵌合部１０の一方側に扇状に連設し先端辺を内側に折曲して先端折曲部２１を形成することで前記樹脂片７２を嵌合可能に形成されている。
そして、前記嵌合部１０の内側片１５の先端辺を前記先端折曲部２１に対峙させてＬ型折曲部１６を形成している。
【０００８】
請求項２の発明は、請求項１のカバークリップにおいて、前記嵌合部１０の外側片１１の先端片を外側に折曲して鍔部１２を形成するとともに、前記折曲するに際して前記外側片１１の一部が内側に突状となる爪部１４を有して成ることを特徴としている。
【０００９】
請求項３の発明は、請求項２のカバークリップにおいて、前記樹脂片固定部２０の前記嵌合部近傍両辺に、内側に突出する爪部２４を折曲形成して成ることを特徴としている。
【発明の効果】
【００１０】
請求項１の発明によれば、カバーケース７０を樹脂ケース６０に固定するに際して、樹脂ケース側に形成された立壁部６２にカバークリップ１の嵌合部１０を嵌合させ、カバーケース７０に装着された樹脂片７２が先端折曲部２１とＬ型折曲部１６に支持されて樹脂片固定部２０に嵌合されることにより、カバーケース７０と樹脂ケース６０とをカバークリップ１によりワンタッチで固定できる。
また、カバークリップ１は金属板から一体的に形成されているので、全体に弾性力を有することで、カバーケース７０を樹脂ケース６０に固定するに際して節度感よく装着することができる。
【００１１】
請求項２の発明によれば、前記嵌合部１０に鍔部１２を形成することにより、鍔部底面が樹脂ケース面に当接するまで嵌合部１０に立壁部６２を装着すれば、確実な固定を行うことができ、また、内側に突状となる爪部１４を有することで、立壁部６２を確実に支持することができる。
【００１２】
また、カバーケース７０について、上方に引き上げられる力（例えば図３（ｄ）においてカバーケース７０を上方に引き上げる力）が発生した時には、爪部１４が支点となり、鍔部１２の先端が樹脂ケース６０に当接することにより、カバーケース７０の外れを防止することができる。
【００１３】
請求項３の発明によれば、樹脂片固定部２０に内側に突出する爪部２４を形成することにより、樹脂片固定部２０に嵌合した樹脂片７２に食い込み横ずれを確実に防止することができる。
【発明を実施するための最良の形態】
【００１４】
本発明の実施の形態の一例としてのカバークリップについて、図１及び図２を参照しながら説明する。
図１はカバークリップの斜視説明図、図２（ａ）（ｂ）（ｃ）はそれぞれカバークリップの平面説明図、正面説明図、側面説明図である。
【００１５】
本発明に係るカバークリップ１０は、下部樹脂ケース６０（ワーク部材）にカバーケース７０を固定するに際して使用するものである（図４及び図５参照）。下部樹脂ケース６０の内側には、下辺に対して平行になる位置に複数の強度強化用の立壁部６２が立設形成されている。また、カバーケース７０はジャバラ部７１を有するブーツ形状で構成され、その端部には、下部樹脂ケース６０と固定するため下部樹脂ケース７０の内部形状に沿って折曲された長方形状の樹脂片７２がその外側を一辺に沿ってカバーケース７０に縫い付けることで装着されている。
【００１６】
カバークリップ１は、薄い平面板に切り込み部や開口部を形成した金属板をプレス加工することで一体的に形成されるものである。
カバークリップ１は、立壁部６２に嵌合可能なコ字状の嵌合部１０と、樹脂片７２を嵌合可能とした樹脂片固定部２０とを有して構成されている。
【００１７】
嵌合部１０は、立壁部６２に対して奥行を有して嵌合するよう、図２（ａ）の縦方向（図２（ｂ）の表裏方向）に長さを有し開口側が幅狭となるコ字状に形成されている。
そして、嵌合部１０の外側片１１には、その先端片を外側に折曲した鍔部１２が形成されている。また、外側片１１の二箇所に下向きにコ字状の切り込み１３を形成し、切り込みで囲まれた部位を三角形状にし、前記折曲するに際して一部（三角形状部分）を嵌合部１０側に位置させることで、内側に突状となる爪部１４が形成されている。
【００１８】
嵌合部１０の内側片１５の上部には、外側片と反対方向に伸びた一対の脚片２０ａを有して扇状に連設された樹脂片固定部２０が形成され、樹脂片固定部２０の端部には、先端辺を内側に直角より若干小さい角度に折曲した先端折曲部２１が形成されている。樹脂片固定部２０の中央より先端折曲部側には樹脂片固定部２０に適度な弾性力を与えるための方形開口部２２が形成されている。
【００１９】
嵌合部１０の内側片１５には、内側片１５の先端辺を直角に折曲して前記先端折曲部２１に対峙させたＬ型折曲部１６が形成されている。
なお、内側片１５の一部及びＬ型折曲部１６は、樹脂片固定部２０に切り込み２３を形成した方形部を折曲することで構成されている。
【００２０】
また、樹脂片固定部２０の嵌合部近傍両辺には、内側に突出する爪部２４が樹脂片固定部２０に対して直角に折曲形成されている。
【００２１】
続いて、上記構造のカバークリップ１の使用方法について、図３を参照しながら説明する。
先ず、カバーケース７０に縫い付けられた樹脂片７２を含んだカバーケース端部を樹脂片固定部２０に嵌合させる。すなわち、樹脂片７２及びカバーケース７０の端部をカバークリップ１のＬ型折曲部１６上に載置し、カバーケース下面から力を加えることで（図３（ａ））、樹脂片固定部２０の先端折曲部２１が樹脂片７２を乗り越えて樹脂片７２とカバーケース７０の間に位置させるとともに、樹脂片７２を樹脂片固定部２０に嵌合させる（図３（ｂ））。この時、樹脂片固定部２０に形成された爪部２４が樹脂片７２上部に食い込むことにより、カバークリップ１とカバーケース７０との固定を確実にすることができる。
【００２２】
次に、カバークリップ１のコ字状の嵌合部１０を下部樹脂ケース６０の内側に形成されている立壁部６２の上部に載置し、嵌合部１０上方から力を加えることで嵌合部内に立壁部６２が位置するように嵌め込み（図３（ｃ））、カバーケース７０を下部樹脂ケース６０に固定する（図３（ｄ））。
嵌合部１０の外側片１１に鍔部１２が形成されているので、鍔部底面が下部樹脂ケース６０面に当接するまで嵌合部１０に立壁部６２を装着すれば、確実な固定を行うことができる。また、この時、嵌合部１０の外側片１１に形成された爪部１４が立壁部６２側部に食い込むことにより、カバークリップ１と下部樹脂ケース６０との固定を確実にすることができる。
【図面の簡単な説明】
【００２３】
【図１】本発明の実施の形態の一例のカバークリップの斜視説明図である。
【図２】図１のカバークリップを示すもので、（ａ）は平面説明図、（ｂ）は正面説明図、（ｃ）は側面説明図である。
【図３】（ａ）〜（ｄ）はカバークリップを使用してカバーケースの下部樹脂ケースへの装着例を示す断面説明図である。
【図４】カバークリップが使用されるステアリングホイール部分の概略構造を示すための構造説明図である。
【図５】カバーケースが装着された状態の下部樹脂ケースを示すもので、（ａ）は表面側説明図、（ｂ）は裏面側説明図、（ｃ）は裏面側一部斜視説明図である。
【符号の説明】
【００２４】
１  カバークリップ
１０  嵌合部
１１  外側片
１２  鍔部
１３  切り込み
１４  爪部
１５  内側片
１６  Ｌ型折曲部
２０  樹脂片固定部
２１  先端折曲部
２２  開口部
２４  爪部
４０  ステアリングホイール
６０  下部樹脂ケース
６２  立壁部
７０  カバーケース
７１  ジャバラ部
７２  樹脂片
【図１】
2005090598.tif 000003
【図２】
2005090598.tif 000004
【図３】
2005090598.tif 000005
【図４】
2005090598.tif 000006
【図５】
2005090598.tif 000007